(57)【要約】【課題】複数の端末が発信する捜索用信号の干渉を回避し、端末の台数のカウントや位置の特定を容易にする。【解決手段】無線交換局１は、捜索用信号の発信周波数と発信タイミングと発信出力値のうち少なくとも１つを指定する捜索用信号設定情報を携帯電話端末３−２，３−３毎に生成する。無線基地局２は、捜索用信号設定情報を設定先の携帯電話端末３−２，３−３に送信して捜索用信号の発信を要求する。携帯電話端末３−２，３−３は、捜索用信号設定情報で指定された発信周波数と発信タイミングと発信出力値とで捜索用信号Ｍ−４−ａ，Ｍ−４−ｂを発信する。【選択図】  図２
2010098422.tif 000002
【特許請求の範囲】
【請求項１】
捜索用信号の発信周波数と発信タイミングのうち少なくとも１つを指定する捜索用信号設定情報を携帯端末毎に生成する捜索用信号設定手段と、
前記捜索用信号設定情報を設定先の携帯端末に送信して捜索用信号の発信を要求する捜索用信号発信要求手段と、
この捜索用信号発信要求手段から送信された要求を受信する携帯端末に設けられ、前記捜索用信号設定情報で指定された発信周波数と発信タイミングとで捜索用信号を発信する捜索用信号発信手段とを備えることを特徴とする位置検出システム。
【請求項２】
請求項１記載の位置検出システムにおいて、
前記捜索用信号設定手段は、さらに前記捜索用信号設定情報によって捜索用信号の発信出力値を携帯端末毎に指定し、
前記捜索用信号発信手段は、前記捜索用信号設定情報で指定された発信出力値で前記捜索用信号を発信することを特徴とする位置検出システム。
【請求項３】
請求項１または２記載の位置検出システムにおいて、
前記捜索用信号設定手段は、前記捜索用信号の発信タイミングを指定する場合に、前記携帯端末の間欠受信のタイミングを基準タイミングとして、前記捜索用信号の発信タイミングを指定し、
前記捜索用信号発信手段は、前記間欠受信のタイミングを基準タイミングとして前記捜索用信号を間欠発信することを特徴とする位置検出システム。
【請求項４】
請求項１乃至３のいずれか１項に記載の位置検出システムにおいて、
さらに、複数の携帯端末に対して捜索の要否を確認する要否確認手段を備え、
前記捜索用信号設定手段は、捜索要請のあった携帯端末について前記捜索用信号設定情報を生成し、
前記捜索用信号発信要求手段は、生成された捜索用信号設定情報を設定先の携帯端末に送信することを特徴とする位置検出システム。
【請求項５】
請求項１乃至４のいずれか１項に記載の位置検出システムにおいて、
さらに、携帯端末毎の前記捜索用信号設定情報のリストを作成するリスト作成手段を備えることを特徴とする位置検出システム。
【請求項６】
請求項１乃至５のいずれか１項に記載の位置検出システムにおいて、
さらに、前記携帯端末から発信される捜索用信号を受信するモニター装置を備えることを特徴とする位置検出システム。
【請求項７】
位置検出システムで用いる携帯端末であって、
捜索用信号の発信要求を受信する受信手段と、
捜索用信号の発信周波数と発信タイミングのうち少なくとも１つを指定する捜索用信号設定情報を前記発信要求から取り出して、この捜索用信号設定情報で指定された発信周波数と発信タイミングとで捜索用信号を発信する捜索用信号発信手段とを備えることを特徴とする携帯端末。
【請求項８】
請求項７記載の携帯端末において、
前記捜索用信号発信手段は、前記捜索用信号設定情報で発信出力値が指定される場合に、指定された発信出力値で前記捜索用信号を発信することを特徴とする携帯端末。
【請求項９】
請求項７または８記載の位置検出システムにおいて、
前記捜索用信号発信手段は、前記捜索用信号設定情報によって携帯端末の間欠受信のタイミングを基準タイミングとして前記発信タイミングが指定される場合に、前記間欠受信のタイミングを基準タイミングとして前記捜索用信号を間欠発信することを特徴とする携帯端末。
【発明の詳細な説明】
【技術分野】
【０００１】
本発明は、例えば災害時等において人が所持している携帯端末の位置を特定するための位置検出システム、および位置検出システムで用いる携帯端末に関するものである。
【背景技術】
【０００２】
地震等の災害の発生により倒壊した建物に生き埋めとなった人（被災者）を救出する際には、被災者の存在及び場所の特定が急務である。被災者の捜索方法としては以下の方法がある。
（１）被災者との会話等のコミュニケーションを用いて被災者の場所を特定する。
（２）救助犬や小型カメラなどを用いて被災者を捜索する。
（３）被災者が所有する携帯端末を用いて被災者を捜索する。
【０００３】
携帯端末を用いて被災者を捜索する方法については、例えば特許文献１、特許文献２に開示されている。特許文献１に開示された位置検出システムでは、無線交換局からの指示により、携帯端末に対して複数の無線基地局から緊急電波信号を送信し、緊急電波信号を受信した携帯端末は、端末内に記憶している自己のＩＤ（氏名や電話番号）を音響信号（モールス信号やＤＴＭＦ信号）に変換し、この音響信号を大音量で出力する。この音響信号により、被災者とその居場所の特定が可能になる。
【０００４】
また、特許文献２に開示されたシステムでは、レスキュー隊などの捜索者の携帯端末から特定の被災者の携帯端末に対して緊急信号を発信させるための制御信号を送信し、この制御信号を受信した被災者の携帯端末が緊急信号を送信する。捜索者は、緊急信号の強度を検知することにより、被災者の位置を特定することができる。
【０００５】
【特許文献１】特開２００２−３１４６３４号公報
【特許文献２】特開２００５−３３４５８号公報
【発明の開示】
【発明が解決しようとする課題】
【０００６】
上記の（１）、（２）の方法および特許文献２に開示された方法は、被災者が存在する大まかな場所が特定できている場合には非常に効果的であるが、広範囲の捜索には適していない。
【０００７】
一方、特許文献１に開示された位置検出システムでは、無線交換局からの指示により携帯端末に音響信号を発生させるため、広範囲の捜索が可能である。しかし、捜索場所に数多くの携帯端末が存在する場合、各携帯端末が一斉に捜索用音響信号を発することになるため、以下の問題点が発生する。
（ａ）携帯端末の台数（すなわち被災者の人数）のカウントが難しい。
（ｂ）様々な場所から音響信号が発生するため、被災者の位置の特定が難しい。
（ｃ）音響信号を発することから被災者が周囲の状況を確認する際の妨げになり、また被災者と捜索者との会話の妨げになる。
【０００８】
そこで、特許文献１に開示された位置検出システムにおいて、音響信号を可聴帯域外の周波数の信号に変更すれば、上記の（ｃ）の問題点を解決することができるが、その他の問題点は解決できない。
なお、特許文献２に開示された方法においても、広範囲での災害発生時や多数の被災者が存在する場合には、被災者の携帯端末が発信する緊急信号が互いに干渉し合うことにより、上記の（ｂ）の問題点と同様に被災者の位置の特定が困難となることが考えられる。
【０００９】
本発明は、上記課題を解決するためになされたもので、複数の携帯端末が発信する捜索用信号の干渉を回避し、携帯端末の台数のカウントや位置の特定を容易にすることを目的とする。
【課題を解決するための手段】
【００１０】
本発明の位置検出システムは、捜索用信号の発信周波数と発信タイミングのうち少なくとも１つを指定する捜索用信号設定情報を携帯端末毎に生成する捜索用信号設定手段と、前記捜索用信号設定情報を設定先の携帯端末に送信して捜索用信号の発信を要求する捜索用信号発信要求手段と、この捜索用信号発信要求手段から送信された要求を受信する携帯端末に設けられ、前記捜索用信号設定情報で指定された発信周波数と発信タイミングとで捜索用信号を発信する捜索用信号発信手段とを備えることを特徴とするものである。
また、本発明の位置検出システムの１構成例において、前記捜索用信号設定手段は、さらに前記捜索用信号設定情報によって捜索用信号の発信出力値を携帯端末毎に指定し、前記捜索用信号発信手段は、前記捜索用信号設定情報で指定された発信出力値で前記捜索用信号を発信することを特徴とするものである。
また、本発明の位置検出システムの１構成例において、前記捜索用信号設定手段は、前記捜索用信号の発信タイミングを指定する場合に、前記携帯端末の間欠受信のタイミングを基準タイミングとして、前記捜索用信号の発信タイミングを指定し、前記捜索用信号発信手段は、前記間欠受信のタイミングを基準タイミングとして前記捜索用信号を間欠発信することを特徴とするものである。
【００１１】
また、本発明の位置検出システムの１構成例は、さらに、複数の携帯端末に対して捜索の要否を確認する要否確認手段を備え、前記捜索用信号設定手段は、捜索要請のあった携帯端末について前記捜索用信号設定情報を生成し、前記捜索用信号発信要求手段は、生成された捜索用信号設定情報を設定先の携帯端末に送信することを特徴とするものである。
また、本発明の位置検出システムの１構成例は、さらに、携帯端末毎の前記捜索用信号設定情報のリストを作成するリスト作成手段を備えることを特徴とするものである。
また、本発明の位置検出システムの１構成例は、さらに、前記携帯端末から発信される捜索用信号を受信するモニター装置を備えることを特徴とするものである。
【００１２】
また、本発明は、位置検出システムで用いる携帯端末であって、捜索用信号の発信要求を受信する受信手段と、捜索用信号の発信周波数と発信タイミングのうち少なくとも１つを指定する捜索用信号設定情報を前記発信要求から取り出して、この捜索用信号設定情報で指定された発信周波数と発信タイミングとで捜索用信号を発信する捜索用信号発信手段とを備えることを特徴とするものである。
また、本発明の携帯端末の１構成例において、前記捜索用信号発信手段は、前記捜索用信号設定情報で発信出力値が指定される場合に、指定された発信出力値で前記捜索用信号を発信することを特徴とするものである。
また、本発明の携帯端末の１構成例において、前記捜索用信号発信手段は、前記捜索用信号設定情報によって携帯端末の間欠受信のタイミングを基準タイミングとして前記発信タイミングが指定される場合に、前記間欠受信のタイミングを基準タイミングとして前記捜索用信号を間欠発信することを特徴とするものである。
【発明の効果】
【００１３】
本発明によれば、捜索用信号の発信周波数と発信タイミングのうち少なくとも１つを指定する捜索用信号設定情報を携帯端末毎に生成し、携帯端末が捜索用信号設定情報で指定された発信周波数と発信タイミングとで捜索用信号を発信するようにしたので、複数の携帯端末が発信する捜索用信号の干渉を減らすことができる。その結果、本発明では、携帯端末の台数のカウントや位置の特定を容易に行うことができる。また、本発明では、各々の携帯端末に対して捜索用信号の発信オン／オフを指定することが可能であるため、捜索状況によって捜索用信号の発信停止を行うことが可能となる。さらに、本発明では、捜索用信号の発信周波数と発信タイミングを捜索状況に応じて変更することが可能となる。
【発明を実施するための最良の形態】
【００１４】
［第１の実施の形態］
以下、本発明の実施の形態について図面を参照して説明する。図１、図２は本発明の第１の実施の形態に係る位置検出システムを説明する図である。
本実施の形態は、携帯電話端末が発信する捜索用信号の発信周波数、発信タイミング、発信出力値などを無線基地局から指定することにより、各々の被災者の携帯電話端末が発信する捜索用信号の干渉を回避することを特徴とする。
【００１５】
災害発生時、無線基地局２の要否確認部（不図示）は、無線交換局１からの指示に応じて、自身がカバーする圏内に存在する携帯電話端末３−１，３−２，３−３に対し、ＣＢＳ（Cell Broadcast Service）等の一斉報知信号により救出要否確認要求メッセージＭ−１を送信する（図１）。
携帯電話端末３−２，３−３を所持している人が被災して救出が必要な場合、これらの被災者は携帯電話端末３−２，３−３を操作して救出要請を行う。これにより、携帯電話端末３−２，３−３からそれぞれ救出要請通知メッセージＭ−２−ａ，Ｍ−２−ｂが無線基地局２に対して送信される。
【００１６】
次に、救出要請通知メッセージＭ−２−ａ，Ｍ−２−ｂを受けた無線基地局２は、救出要否の確認結果を無線交換局１に通知する。
無線基地局２からの通知を受けた無線交換局１の捜索用信号設定部（不図示）は、捜索用信号の発信周波数と発信タイミングと発信出力値のうち少なくとも１つを指定する捜索用信号設定情報を、救出要請のあった携帯電話端末３−２，３−３毎に生成する。無線交換局１は、この捜索用信号設定情報を含む捜索用信号発信要求を無線基地局２に送る。
【００１７】
無線基地局２の捜索用信号発信要求部（不図示）は、携帯電話端末３−２，３−３に対して、捜索用信号設定情報を含む捜索用信号発信要求メッセージＭ−３−ａ，Ｍ−３−ｂを送出する。
捜索用信号発信要求メッセージＭ−３−ａ，Ｍ−３−ｂを受信した携帯電話端末３−２，３−３の捜索用信号発信部（不図示）は、それぞれ捜索用信号設定情報で指定された周波数と発信タイミングと発信出力とで捜索用信号Ｍ−４−ａ，Ｍ−４−ｂを発信する。
【００１８】
レスキュー隊などの捜索者は、例えば携帯電話端末公衆網を管理するオペレータから各携帯電話端末が発信する捜索用信号の情報を入手し、個々の携帯電話端末が発信する捜索用信号を検索することにより被災者の位置を特定することができる。
【００１９】
［第２の実施の形態］
次に、本発明の第２の実施の形態について説明する。本実施の形態は第１の実施の形態をより具体的に説明するものである。図３は無線交換局１の構成を示すブロック図、図４は無線基地局２の構成を示すブロック図、図５は携帯電話端末３（３−１〜３−３）の構成を示すブロック図である。
【００２０】
無線交換局１は、救出要否確認部１１と、捜索用信号設定部１２と、救出リスト作成部１３と、通信部１４とを有する。救出要否確認部１１は、携帯電話端末３に対して無線基地局２を介して救出（捜索）の要否を確認する。捜索用信号設定部１２は、救出要請のあった携帯電話端末３毎に捜索用信号設定情報を生成する。救出リスト作成部１３は、携帯電話端末毎の捜索用信号設定情報のリストを作成する。通信部１４は、無線基地局２との通信を行う。
【００２１】
無線基地局２は、救出要否確認部２１と、捜索用信号発信要求部２２と、捜索用信号受信部２３と、無線部２４と、アンテナ２５と、通信部２６とを有する。救出要否確認部２１は、携帯電話端末３に対して救出の要否を確認する。捜索用信号発信要求部２２は、救出要請のあった携帯電話端末３に対して捜索用信号の発信を要求する。捜索用信号受信部２３は、携帯電話端末３からの捜索用信号を受信する。無線部２４は、アンテナ２５を介して携帯電話端末３との無線通信を行う。通信部２６は、無線交換局１との通信を行う。
【００２２】
携帯電話端末３は、記憶部３１と、無線部３２と、アンテナ３３と、捜索用信号発信部３４と、ＣＰＵ３５と、タイマー部３６と、表示部３７と、操作部３８と、ＣＰＵバス３９とを有する。
【００２３】
携帯電話端末３は、ＣＰＵ３５と各機能部とをＣＰＵバス３９で接続し、ＣＰＵ３５が制御を行う構成となっている。
記憶部３１は、ＣＰＵ動作時のプログラムおよびデータを保存する。記憶部３１は、間欠受信を行うタイミングを指定する間欠受信タイミング情報３１−１、捜索用信号の発信タイミングを指定する捜索用信号発信タイミング情報３１−２、捜索用信号の発信周波数を指定する捜索用信号発信周波数情報３１−３、捜索用信号の発信出力値を指定する捜索用信号発信出力値情報３１−４などを保持する。
【００２４】
無線部３２は、アンテナ３３を介して無線基地局２との無線通信を行う。捜索用信号発信部３４は、捜索用信号を発信する。タイマー部３６は、間欠受信タイミング並びに捜索用信号の発信タイミングの時間測定に使用される。表示部３７は携帯電話端末３のユーザに対して情報を表示し、操作部３８はユーザのキー操作を受け付ける。
【００２５】
以下、本実施の形態の位置検出システムの動作を説明する。図６、図７は被災者を捜索するときの位置検出システムの動作を示すシーケンス図である。ここでは、特定のエリア（以下、Ａ地域とする）における捜索を例に挙げて説明する。
まず、災害発生時、自治体の担当者は、被災者捜索のためにオペレータに対して、Ａ地域に存在する携帯電話端末３から捜索用信号を発信させるよう要求する（図６ステップＳ１）。
【００２６】
オペレータは、自治体の担当者からの要求に従い、無線交換局１に対してＡ地域の携帯電話端末３から捜索用信号を発信させるよう指示を出す（ステップＳ２）。
オペレータからの指示を受けた無線交換局１の救出要否確認部１１は、Ａ地域に該当する無線基地局２を特定し（ステップＳ３）、この無線基地局２のエリアに存在する全ての携帯電話端末３に対して救出の要否を確認するよう無線基地局２に要求する（ステップＳ４）。
【００２７】
無線交換局１からの要求を受けた無線基地局２の救出要否確認部２１は、自局のエリアに存在する全ての携帯電話端末３に対して救出の要否を確認する信号を、無線部２４およびアンテナ２５を介して一斉に送信する（ステップＳ５）。
無線基地局２から救出要否確認信号を受信した携帯電話端末３のＣＰＵ３５は、例えば救出の要否を確認するメッセージを表示部３７に表示させる。このメッセージを見た携帯電話端末３のユーザは、救出が必要であれば、操作部３８に対して所定の操作を行う。この操作を受けたＣＰＵ３５は、無線基地局２に対して救出要請信号を送信する（ステップＳ６）。
【００２８】
携帯電話端末３から救出要請信号を受けた無線基地局２の救出要否確認部２１は、無線交換局１に対して救出要否の確認結果信号を送信する（ステップＳ７）。この確認結果信号には、救出を要請した携帯電話端末３の識別情報（例えば電話番号）が含まれる。
無線基地局２から確認結果信号を受けた無線交換局１の捜索用信号設定部１２は、捜索用信号の発信周波数と発信タイミングと発信出力値とを指定する捜索用信号設定情報を、救出要請のあった携帯電話端末３毎に生成する（ステップＳ８）。
【００２９】
そして、無線交換局１の捜索用信号設定部１２は、ステップＳ８で捜索用信号設定情報を割り振った携帯電話端末３の識別情報と捜索用信号設定情報とを含む捜索用信号発信要求を、ステップＳ３で特定した無線基地局２に送る（ステップＳ９）。
無線交換局１から捜索用信号発信要求を受けた無線基地局２の捜索用信号発信要求部２２は、ステップＳ６で救出要請のあった携帯電話端末３（捜索用信号発信要求で指定された携帯電話端末３）に対してこの携帯電話端末３用に設定された捜索用信号設定情報を通知し、捜索用信号の発信を要求する（ステップＳ１０）。
【００３０】
捜索用信号発信要求を受けた携帯電話端末３のＣＰＵ３は、この捜索用信号発信要求に含まれる捜索用信号設定情報で指定された周波数と発信タイミングと発信出力とで捜索用信号を発信するよう捜索用信号発信部３４に指示する（ステップＳ１１）。この指示に従って捜索用信号発信部３４は、捜索用信号の発信を開始する（ステップＳ１２）。
捜索用信号を受信した無線基地局２の捜索用信号受信部２３は、無線交換局１に対して捜索用信号の発信を確認したことを通知する（ステップＳ１３）。このとき、無線基地局２から送信される確認通知信号には、捜索用信号を発信した携帯電話端末３の識別情報が含まれる。
【００３１】
無線基地局２から確認通知信号を受けた無線交換局１の救出リスト作成部１３は、捜索用信号を発信した携帯電話端末３の識別情報とこの携帯電話端末３用に設定した捜索用信号設定情報とをリスト化した救出リストを作成し（ステップＳ１４）、この救出リストをオペレータに通知する（ステップＳ１５）。このようなリストを作成することにより、このリストを基に被災者の捜索を行うことができる。救出リストの通知方法としては、例えば救出リストの印刷や表示などがある。
オペレータは、無線交換局１から受け取った救出リストを自治体の担当者に通知する（ステップＳ１６）。
【００３２】
自治体の担当者は、レスキュー隊などの捜索者に救出リストを配布する。捜索者は、各携帯電話端末３が発信する捜索用信号をモニターしながら被災者の捜索にあたる（ステップＳ１７）。
【００３３】
図８は捜索者が使用するモニター装置４の構成の１例を示すブロック図である。モニター装置４は、捜索用信号の周波数を検出する発信周波数検出部４１と、捜索用信号の発信タイミングを検出する発信タイミング検出部４２と、捜索用信号の発信出力値を検出する発信出力検出部４３と、アンテナ４５を介して捜索用信号を受信する無線部４４と、検出された捜索用信号の周波数、発信タイミング、発信出力値などを表示する表示部４６と、モニター装置全体を制御するＣＰＵ４７とを有する。このようなモニター装置４を用いることにより、捜索者は、捜索用信号の周波数、発信タイミング、発信出力値を認識することができるので、複数の携帯電話端末３から発信される捜索用信号を区別することができる。
【００３４】
図９は本実施の形態における捜索用信号の発信動作を示すタイミングチャートであり、捜索用信号の干渉回避方法を説明する図である。図９（Ａ）は携帯電話端末３の間欠受信のタイミングを示す図、図９（Ｂ）は救出要請をした携帯電話端末（ここでは、携帯電話端末３−Ａとする）の捜索用信号の発信タイミングを示す図、図９（Ｃ）は救出要請をした別の携帯電話端末（ここでは、携帯電話端末３−Ｂとする）の捜索用信号の発信タイミングを示す図である。
【００３５】
図９（Ａ）〜図９（Ｃ）において、ｔ１は携帯電話端末３−Ａ，３−Ｂが無線基地局２から捜索用信号発信要求を受信したタイミング、ｔ２，ｔ３，ｔ４は間欠受信のタイミング、ΔＴは間欠受信の周期である。なお、間欠受信とは、一定のタイミング毎に無線基地局２からの受信を行い、それ以外では受信を行わない動作を意味する。上記の捜索用信号発信要求も間欠受信のタイミングで受信したものである。この間欠受信のタイミングは、間欠受信タイミング情報３１−１で指定される。
【００３６】
ここでは、携帯電話端末３−Ａに通知される捜索用信号設定情報により、捜索用信号の発信タイミングとして間欠受信のタイミングからΔａ後のタイミングが指定され、発信周波数としてａ（Ｈｚ）が指定されているものとする。この捜索用信号設定情報に応じて、携帯電話端末３−Ａは、図９（Ｂ）に示すように、間欠受信のタイミングｔ２，ｔ３からΔａ後のタイミングｔ５，ｔ６において周波数がａ（Ｈｚ）の捜索用信号を発信する。
【００３７】
また、携帯電話端末３−Ｂに通知される捜索用信号設定情報により、捜索用信号の発信タイミングとして間欠受信のタイミングからΔｂ後のタイミングが指定され、発信周波数としてｂ（Ｈｚ）が指定されているものとする。この捜索用信号設定情報に応じて、携帯電話端末３−Ｂは、図９（Ｃ）に示すように、間欠受信のタイミングｔ２，ｔ３からΔｂ後のタイミングｔ７，ｔ８において周波数がｂ（Ｈｚ）の捜索用信号を発信する。
【００３８】
特許文献１に開示された位置検出システムでは、捜索用信号として音響信号（ＤＴＭＦ信号）を使用しており、複数の携帯電話端末が発信する音響信号が干渉するため、各々の携帯電話端末が発する音響信号を正確に捉えることができないという問題が発生する。この干渉は、音響信号を同じ時間帯で発信することと（以下、原因１と呼ぶ）、音響信号を同じ周波数帯で発信すること（以下、原因２と呼ぶ）で発生する。
【００３９】
本実施の形態では、特許文献１に開示された位置検出システムの問題点を解決する為に下記の解決方法を用いる。
まず、時間軸での干渉回避を行うために捜索用信号の発信タイミングに基準タイミングを設け、携帯電話端末毎に発信タイミングを指定することによって、捜索用信号の干渉を回避する。これにより、原因１に起因する問題を解決する。具体的には、基準タイミングとして携帯電話端末の間欠受信のタイミングを用いる。本実施の形態では、間欠受信のタイミングを基準とし、この間欠受信のタイミングから指定時間だけ遅れたタイミングを捜索用信号の発信タイミングとして、この発信タイミングを捜索用信号設定情報によって各携帯電話端末に通知する。
【００４０】
次に、同一周波数帯域での干渉回避を行うために捜索用信号の発信周波数を携帯電話端末毎に指定することによって、捜索用信号の干渉を回避する。これにより、原因２に起因する問題を解決する。具体的には、携帯電話端末毎に捜索用信号の発信周波数を用意する。本実施の形態では、捜索用信号の発信周波数を捜索用信号設定情報によって各携帯電話端末に通知し、通知した発信周波数で捜索用信号を発信させる。
【００４１】
以上のように、本実施の形態では、捜索用信号の発信周波数と発信タイミングと発信出力値のうち少なくとも１つを指定する捜索用信号設定情報を携帯端末毎に生成し、携帯端末が捜索用信号設定情報で指定された発信周波数と発信タイミングとで捜索用信号を発信するようにしたので、複数の携帯端末が発信する捜索用信号の干渉を減らすことができる。その結果、本実施の形態では、携帯端末の台数のカウントや位置の特定を容易に行うことができ、携帯端末を所持する被災者の捜索を行うことができる。また、本実施の形態では、各々の携帯端末に対して捜索用信号の発信オン／オフを指定することが可能であるため、捜索状況によって捜索用信号の発信停止を行うことが可能となる。さらに、本実施の形態では、捜索用信号の発信周波数と発信タイミングと発信出力値を捜索状況に応じて変更することが可能となる。
【００４２】
また、本実施の形態では、捜索用信号を間欠で発信することにより、携帯電話端末の省電力化が可能となり、長期間に渡って捜索用信号を発信することが可能になる。また、本実施の形態では、捜索用信号発信要求の受信と捜索用信号の発信とが携帯電話端末の本来の機能である着信・発信動作に影響を与えないことから、携帯電話端末の機能と本実施の形態の位置検出システムに関わる機能とを並列して機能させることが可能になる。
【００４３】
［第３の実施の形態］
第１、第２の実施の形態では、位置検出システムを携帯電話端末公衆網のエリアに適用したが、これに限るものではなく、携帯電話端末公衆網以外のエリア（圏外エリア）においても、移動基地局を使用することによって本発明の位置検出システムを用いた被災者の捜索を行うことが可能になる。
【００４４】
また、幼稚園／小学校などの遠足等の行事において、各生徒が持つ携帯電話端末から発信する捜索用信号を常にモニターすることができる機器を教師や保護者等の引率者が携行することにより、このモニター装置から一定の距離以上生徒が離れた場合にモニター装置を携行している引率者に注意を促すことが可能になる。
【００４５】
また、第２の実施の形態では、携帯電話端末の間欠発信のタイミングを捜索用信号の発信の基準タイミングとしたが、これに限るものではなく、電波時計等を用いることにより基準タイミングを得るようにしてもよい。
また、本発明は、携帯電話端末の間欠受信時のみでの使用を限定するものでは無く、例えば無線基地局との通信中のような連続受信時においても同様の効果を得ることが可能である。
【００４６】
なお、第１〜第３の実施の形態において無線交換局１、無線基地局２、携帯電話端末３、モニター装置４は、それぞれＣＰＵ、記憶装置、表示装置およびインタフェースを備えたコンピュータとこれらのハードウェア資源を制御するプログラムによって実現することができる。これらのコンピュータのＣＰＵは、それぞれ記憶装置に格納されたプログラムに従って第１〜第３の実施の形態で説明した機能を実現する。
【産業上の利用可能性】
【００４７】
本発明は、災害時等において人が所持している携帯端末の位置を特定するための技術に適用することができる。
【図面の簡単な説明】
【００４８】
【図１】本発明の第１の実施の形態に係る位置検出システムを説明する図である。
【図２】本発明の第１の実施の形態に係る位置検出システムを説明する図である。
【図３】本発明の第２の実施の形態に係る無線交換局の構成を示すブロック図である。
【図４】本発明の第２の実施の形態に係る無線基地局の構成を示すブロック図である。
【図５】本発明の第２の実施の形態に係る携帯電話端末の構成を示すブロック図である。
【図６】本発明の第２の実施の形態において被災者を捜索するときの位置検出システムの動作を示すシーケンス図である。
【図７】本発明の第２の実施の形態において被災者を捜索するときの位置検出システムの動作を示すシーケンス図である。
【図８】本発明の第２の実施の形態において捜索者が使用するモニター装置の構成を示すブロック図である。
【図９】本発明の第２の実施の形態における捜索用信号の発信動作を示すタイミングチャートである。
【符号の説明】
【００４９】
１…無線交換局、２…無線基地局、３−１〜３−３…携帯電話端末、４…モニター装置、１１…救出要否確認部、１２…捜索用信号設定部、１３…救出リスト作成部、１４…通信部、２１…救出要否確認部、２２…捜索用信号発信要求部、２３…捜索用信号受信部、２４…無線部、２５…アンテナ、２６…通信部、３１…記憶部、３２…無線部、３３…アンテナ、３４…捜索用信号発信部、３５…ＣＰＵ、３６…タイマー部、３７…表示部、３８…操作部、３９…ＣＰＵバス、３１−１…間欠受信タイミング情報、３１−２…捜索用信号発信タイミング情報、３１−３…捜索用信号発信周波数情報、３１−４…捜索用信号発信出力値情報、４１…発信周波数検出部、４２…発信タイミング検出部、４３…発信出力検出部、４４…無線部、４５…アンテナ、４６…表示部、４７…ＣＰＵ。
【図１】
2010098422.tif 000003
【図２】
2010098422.tif 000004
【図３】
2010098422.tif 000005
【図４】
2010098422.tif 000006
【図５】
2010098422.tif 000007
【図６】
2010098422.tif 000008
【図７】
2010098422.tif 000009
【図８】
2010098422.tif 000010
【図９】
2010098422.tif 000011